(57)【特許請求の範囲】
【請求項１】
棒状の支持部材と、この支持部材に結合された除去部材とを有し、
前記除去部材は、
前記支持部材の延長方向の軸から垂直方向にずれた位置で、その延長方向と交差する方向に伸長された板状の刃と、
この刃を支持部材の延長方向の軸からずれた位置に突出させて設けるために、前記刃の伸長方向において対向するように設けられた一対の側部と、
この一対の側部を前記支持部材に接合する接合部材と
を備えたことを特徴とする雪庇除去用具。
【請求項２】
前記板状の刃に、ブラシを結合したことを特徴とする請求項１記載の雪庇除去用具。
【請求項３】
前記除去部材は、前記支持部材と着脱可能であることを特徴とする請求項１又は請求項２に記載の雪庇除去用具。
【請求項４】
前記除去部材は、前記支持部材と着脱可能であり、他の除去部材を結合可能とすることを特徴とする請求項１又は請求項２に記載の雪庇除去用具。
【請求項５】
前記他の除去部材は、前記支持部材の延長方向と交差する方向に伸長し、その先端にブラシを備えたことを特徴とする請求項４記載の雪庇除去用具。
【請求項６】
前記他の除去部材は、タガネであることを特徴とする請求項４記載の雪庇除去用具。
【発明の詳細な説明】
【技術分野】
【０００１】
本発明は、雪庇を除去するための雪庇除去用具に関する。
【背景技術】
【０００２】
屋根から突き出したいわゆる雪庇といわれる雪のかたまりは、自重あるいは衝撃などにより落下することがあり危険である。このため、雪庇は定期的に除去することが必要とされている。例えば、特許文献１では、雪庇除去具が提案されている。
【先行技術文献】
【特許文献】
【０００３】
【特許文献１】特開２００２−２４２４０１号公報
【発明の概要】
【発明が解決しようとする課題】
【０００４】
しかしながら、雪庇除去の効果は十分ではなく、特に、雪庇が固く固まってしまった場合には、除去するのが非常に困難であった。
【０００５】
本発明は、このような問題に基づきなされたものであり、雪庇をより効果的に除去することができる雪庇除去用具を提供することを目的とする。
【課題を解決するための手段】
【０００６】
本発明の雪庇除去用具は、棒状の支持部材と、この支持部材に結合された除去部材とを有し、除去部材は、支持部材の延長方向の軸からずれた位置で、その延長方向と交差する方向に伸長された板状の刃と、この刃に設けられた一対の側部と、この一対の側部を支持部材に接合する接合部材とを備えたものである。
【発明の効果】
【０００７】
本発明の雪庇除去用具によれば、板状の刃と、この刃に設けられた一対の側部とを備えるようにしたので、雪庇に対して板状の刃を掛け、支持部材を引くことにより、雪庇を容易に削りとることができる。
【０００８】
また、板状の刃に、ブラシを結合するようにすれば、例えば、道路標識に付着した雪を除去することもできる。
【０００９】
更に、除去部材を、支持部材から着脱可能とするようにすれば、コンパクトに持ち運ぶことができると共に、他の除去部材を結合することもできる。
【００１０】
更にまた、他の除去部材として、支持部材の延長方向と交差する方向に伸長し、その先端にブラシを備えるようにすれば、例えば、縦型の信号機の表示部分に付着した雪を除去することもできる。
【００１１】
加えて、他の除去部材として、支持部材にタガネを結合するようにすれば、例えば、地面で固まった雪を割ることもできる。
【図面の簡単な説明】
【００１２】
【図１】本発明の一実施の形態に係る雪庇除去用具の構成を表す図である。
【図２】図１に示した雪庇除去用具の一部を取り出して表す図である。
【図３】本発明の変形例を表す図である。
【図４】本発明の他の変形例を表す図である。
【図５】本発明の更に他の変形例を表す図である。
【図６】図１に示した雪庇除去用具の使用方法を説明する図である。
【発明を実施するための形態】
【００１３】
以下、本発明の実施の形態について図面を参照して詳細に説明する。
【００１４】
図１および図２は、本実施の形態に係る雪庇除去用具１０の構成を表すものである。棒状の支持部材１１と、この支持部材１１に結合された除去部材１２とを有している。
【００１５】
支持部材１１の長さは、雪庇の生成する位置に合わせた長さとすればよく、例えば、１ｍ以上８ｍ以下程度である。支持部材１１は、例えば、一本の棒状部材であってもよいし、複数本の棒状部材をつなげ合わせるようにしたものであってもよく、また、伸縮を可能とする棒状の伸縮部材でもよい。中でも、複数本の棒状部材をつなげ合わせるようにしたもの、および伸縮を可能とする棒状の伸縮部材は、持ち運びに便利であり、特に、伸縮を可能とする棒状の伸縮部材は、組み立てる手間が必要ないので、より便利である。このような伸縮部材としては、例えば、玉網の玉ノ柄が挙げられる。
【００１６】
除去部材１２は、例えば、支持部材１１の延長方向の軸から垂直方向にずれた位置で、その延長方向と交差する方向に伸長された板状の刃１３と、この刃１３に設けられた一対の側部１４ａ，１４ｂと、この一対の側部１４ａ，１４ｂを支持部材１１に接合する接合部材１５とを有している。このように、刃１３を支持部材１１の延長方向の軸からずれた位置に突出させて設けるようにすれば、雪庇に刃１３を容易に引っ掛けることができ、容易に雪庇を削り取ることができるので好ましい。
【００１７】
刃１３の長さＬは、例えば、３０ｃｍから５０ｃｍ程度であり、刃１３の幅Ｗ１は、例えば、２．５ｃｍから６ｃｍ程度であり、刃１３の厚みは、例えば、３ｍｍから４ｍｍ程度である。側部１４ａ，１４ｂの幅Ｗ２は、例えば、２．５ｃｍから６ｃｍ程度であり、側部１４ａ，１４ｂの高さＨは、例えば、１０ｃｍから１３ｃｍ程度であり、側部１４ａ，１４ｂの厚みは、例えば、３ｍｍから４ｍｍ程度である。接合部材１５の幅Ｗ３は、例えば、２．５ｃｍから６ｃｍ程度であり、接合部材１５の厚みは、例えば、３ｍｍから４ｍｍ程度である。
【００１８】
このように、刃１３、側部１４ａ，１４ｂおよび接合部材１５を所定の幅を有する板状部材により構成するようにすれば、除去部材１２の強度を向上させることができ、硬くなった雪庇であっても、容易に除去することができるので好ましい。除去部材１２は、例えば、ステンレスやアルミニウム等の金属により構成することが好ましい。
【００１９】
なお、除去部材１２は、例えば、図３に示したように、刃１３を山型に湾曲させるようにしてもよく、接合部材１５は、板状部材ではなく、棒状部材により構成するようにしてもよい。また、例えば、図４に示したように、刃１３にブラシ１６を取り付けるようにしてもよい。道路標識に付着した雪を除去することができるからである。ブラシ１６は、ねじ等により着脱可能に取り付けることができるようにすることが好ましい。
【００２０】
除去部材１２は、支持部材１１と着脱可能とされていることが好ましい。コンパクトに持ち運ぶことができると共に、他の除去部材を結合することもできるからである。他の除去部材１７としては、例えば、図５に示したように、支持部材１１の延長方向と交差する方向に伸長させる伸長部材１７ａと、その先端に設けられたブラシ１７ｂとを備えたものが好ましい。例えば、縦型の信号機の表示部分に付着した雪を除去する際に便利に使用することができるからである。また、他の除去部材としては、例えば、タガネが挙げられる。例えば、地面で固まった雪を割る際に便利に使用することができるからである。
【００２１】
図６は、雪庇除去用具１０の使用方法を説明するためのものである。この雪庇除去用具１０は、雪庇Ｓに対して刃１３を突出させるように向け、刃１３を雪庇Ｓに掛けて、雪庇Ｓの上から下に刃１３を引き下ろすことにより、雪庇Ｓを削り取る。
【００２２】
このように本実施の形態によれば、板状の刃１３と、刃１３に設けられた一対の側部１４ａ，１４ｂとを備えるようにしたので、雪庇Ｓに対して板状の刃１３を掛け、支持部材１１を引くことにより、雪庇Ｓを容易に削りとることができる。
【００２３】
また、板状の刃１３に、ブラシ１６を結合するようにすれば、例えば、道路標識に付着した雪を除去することもできる。
【００２４】
更に、除去部材１２を、支持部材１１から着脱可能とするようにすれば、コンパクトに持ち運ぶことができると共に、他の除去部材を結合することもできる。
【００２５】
更にまた、他の除去部材１７として、支持部材１１の延長方向と交差する方向に伸長部材１７ａを伸長し、その先端にブラシ１７ｂを備えるようにすれば、例えば、縦型の信号機の表示部分に付着した雪を除去することもできる。
【００２６】
加えて、他の除去部材として、支持部材１１にタガネを結合するようにすれば、例えば、地面で固まった雪を割ることもできる。
【００２７】
以上、実施の形態を挙げて本発明を説明したが、本発明は上記実施の形態に限定されるものではなく、種々変形可能である。例えば、上記実施の形態では、除去部材１２の形状を具体的に説明したが、他の形状を有するようにしてもよい。
【産業上の利用可能性】
【００２８】
雪庇の除去に用いることができる。
【符号の説明】
【００２９】
１０…雪庇除去用具、１１…支持部材、１２…除去部材、１３…刃、１４ａ，１４ｂ…側部、１５…接合部材、１６…ブラシ、１７…除去部材、１７ａ…伸長部材、１７ｂ…ブラシ
【要約】
【課題】雪庇をより効果的に除去することができる雪庇除去用具を提供する。
【解決手段】雪庇除去具１０は、棒状の支持部材１１と、この支持部材１１に結合された除去部材１２とを有している。除去部材１２は、支持部材１１の延長方向の軸からずれた位置で、その延長方向と交差する方向に伸長された板状の刃１３と、この刃１３に設けられた一対の側部１４ａ，１４ｂと、この一対の側部１４ａ，１４ｂを支持部材１１に接合する接合部材１５とを備えている。
【選択図】図１【図１】
0005295404.tif 000002
【図２】
0005295404.tif 000003
【図３】
0005295404.tif 000004
【図４】
0005295404.tif 000005
【図５】
0005295404.tif 000006
【図６】
0005295404.tif 000007